(57)【要約】      （修正有）【課題】上下方向に隣接する外壁コーナーパネル間の横目地に対する防火処理や防水処理を簡単かつ良好に行う。【解決手段】出隅用の略Ｌ形の薄型外壁材５の裏面に一対の金属製の縦フレーム材６,６を取り付けてなる外壁コーナーパネル２の上部に、不燃材４を取り付けた横目地処理用部材１を装着して、上下方向に隣接する外壁コーナーパネル２,２間の横目地30に沿って、その横目地30の裏側に不燃材４を配置する。【選択図】図４
2005213829.tif 000002
【特許請求の範囲】
【請求項１】
外壁コーナーパネルの上部又は下部に、不燃材を取り付けた横目地処理用部材を装着して、上下方向に隣接する外壁コーナーパネル間の横目地に沿って、その横目地の裏側に前記不燃材を配置したことを特徴とする外壁コーナー部の横目地構造。
【請求項２】
前記外壁コーナーパネルは、出隅用又は入隅用の略Ｌ形の外壁材と、その外壁材の裏面に取り付けた金属製の縦フレーム材とを備え、その縦フレーム材の上端部に前記横目地処理用部材を装着した請求項１記載の外壁コーナー部の横目地構造。
【請求項３】
前記横目地処理用部材は、前記縦フレーム材の上端部に係合する一対の係合部と、それら係合部を連結するとともに、前記外壁材の裏面に沿う略Ｌ形に形成された不燃材取付部とを備えた請求項１又は２記載の外壁コーナー部の横目地構造。
【請求項４】
前記不燃材を、前記横目地に充填するシーリング用バックアップ材の受材とした請求項１乃至３のいずれかに記載の外壁コーナー部の横目地構造。
【請求項５】
外壁コーナーパネルの上部又は下部に装着する部材本体と、この部材本体に取り付けられて、上下方向に隣接する外壁コーナーパネル間の横目地の裏側を覆う不燃材とを備えたことを特徴とする横目地処理用部材。
【請求項６】
前記外壁コーナーパネルは、出隅用又は入隅用の略Ｌ形の外壁材と、その外壁材の裏面に取り付けた金属製の縦フレーム材とを備え、前記部材本体は、前記縦フレーム材の上端部に係合する一対の係合部と、それら係合部を連結するとともに、前記外壁材の裏面に沿う略Ｌ形に形成された不燃材取付部とを備えた請求項５記載の横目地処理用部材。
【請求項７】
前記係合部は、前記縦フレーム材の内面側に当接する基片と、この基片から延出して前記縦フレーム材の外面側に当接する弾性片とを備え、前記縦フレーム材の上端部に被さって係合する請求項６記載の横目地処理用部材。
【請求項８】
前記不燃材取付部は、上方が開放した溝状に形成された請求項６又は７記載の横目地処理用部材。
【発明の詳細な説明】
【技術分野】
【０００１】
この発明は、外壁コーナー部の横目地構造及びこれに使用する横目地処理用部材に関する。
【背景技術】
【０００２】
建物外壁や袖壁、ピロティ柱等のコーナー部に配置する外壁コーナーパネルとして、例えば特許文献１に開示されているように、薄い略Ｌ形のサイディング材の裏面両端部に一対の金属製縦フレーム材を取り付けた構造のものがある。
【０００３】
このように、略Ｌ形のサイディング材の裏面に縦フレーム材だけを取り付けているのは、略Ｌ形のサイディング材の場合、その周端部に沿って枠状フレームを取り付けてしまうと、角部分において亀裂や割れを生じ易くなるからである。特に、一対の平板状のサイディング材同士を接着して略Ｌ形のサイディング材を構成している場合には、その角部分である強度的に弱い接着部分において亀裂や割れが生じる可能性が高い。
【０００４】
このような外壁コーナーパネルを上下方向に隣接させた場合には、それらパネル間の横目地の裏側において、横フレーム材等のような受けとなる部材が存在せず、横目地の裏側を不燃材で覆う防火処理が煩雑になるといった不具合があった。
【０００５】
また、横目地にシーリング用バックアップ材及びシーリング材を充填して防水処理を施す場合にも、横目地の裏側に受けとなる部材が存在しないことから、シーリング用バックアップ材を横目地の奥まで十分に突っ込み難く、このためサイディング材が薄いと、シーリング代を十分に確保することができないといった不具合もあった。
【０００６】
【特許文献１】特開平１１−３４３６９１号公報
【発明の開示】
【発明が解決しようとする課題】
【０００７】
この発明は、上記の不具合を解消して、上下方向に隣接する外壁コーナーパネル間の横目地に対する防火処理や防水処理を簡単かつ良好に行うことができる外壁コーナー部の横目地構造及びこれに使用する横目地処理用部材の提供を目的とする。
【課題を解決するための手段】
【０００８】
上記の課題を解決するため、この発明の外壁コーナー部の横目地構造は、外壁コーナーパネルの上部又は下部に、不燃材を取り付けた横目地処理用部材を装着して、上下方向に隣接する外壁コーナーパネル間の横目地に沿って、その横目地の裏側に前記不燃材を配置したことを特徴とする。
【０００９】
具体的に、前記外壁コーナーパネルは、出隅用又は入隅用の略Ｌ形の外壁材と、その外壁材の裏面に取り付けた金属製の縦フレーム材とを備え、その縦フレーム材の上端部に前記横目地処理用部材を装着している。
【００１０】
また、前記横目地処理用部材は、前記縦フレーム材の上端部に係合する一対の係合部と、それら係合部を連結するとともに、前記外壁材の裏面に沿う略Ｌ形に形成された不燃材取付部とを備えている。
【００１１】
さらに、前記不燃材を、前記横目地に充填するシーリング用バックアップ材の受材としている。
【００１２】
この発明の横目地処理用部材は、外壁コーナーパネルの上部又は下部に装着する部材本体と、この部材本体に取り付けられて、上下方向に隣接する外壁コーナーパネル間の横目地の裏側を覆う不燃材とを備えたことを特徴とする。
【００１３】
具体的に、前記外壁コーナーパネルは、出隅用又は入隅用の略Ｌ形の外壁材と、その外壁材の裏面に取り付けた金属製の縦フレーム材とを備え、前記部材本体は、前記縦フレーム材の上端部に係合する一対の係合部と、それら係合部を連結するとともに、前記外壁材の裏面に沿う略Ｌ形に形成された不燃材取付部とを備えている。
【００１４】
また、前記係合部は、前記縦フレーム材の内面側に当接する基片と、この基片から延出して前記縦フレーム材の外面側に当接する弾性片とを備え、前記縦フレーム材の上端部に被さって係合する。さらに、前記不燃材取付部は、上方が開放した溝状に形成されている。
【発明の効果】
【００１５】
この発明では、外壁コーナーパネルの上部又は下部に横目地処理用部材を装着するだけで、上下方向に隣接する外壁コーナーパネル間の横目地の裏側に不燃材を配置して、外壁コーナー部における横目地の防火処理を簡単かつ良好に行うことができる。
【００１６】
また、横目地処理用部材に取り付けてある不燃材がシーリング用バックアップ材の受材となるので、シーリング用バックアップ材を横目地の奥まで十分に突っ込むことができ、薄い外壁材を使用していても、シーリング材によるシーリング代を十分に確保して、信頼性の高い防水処理を行うことができる。
【００１７】
さらに、横目地処理用部材の係合部を、外壁コーナーパネルの縦フレーム材の上端部に上方から被せるだけで、横目地処理用部材を外壁コーナーパネルに装着することができるので、縦フレーム材に孔あけ等の特別な加工を施すことなく、防火処理を行うことができる。
【発明を実施するための最良の形態】
【００１８】
(第１実施形態)
図１は、この発明の第１実施形態に係る出隅用の横目地処理用部材を示している。この出隅用の横目地処理用部材(１)は、出隅用の外壁コーナーパネル(２)の上部に装着する部材本体(３)と、この部材本体(３)に予め工場等において取り付けられる不燃材(４)を備えている。
【００１９】
外壁コーナーパネル(２)は、出隅用の略Ｌ形の薄型外壁材(５)と、その外壁材(５)の裏面における縦方向に沿った両端部に取り付けた一対の金属製の縦フレーム材(６)(６)とを備えている。
【００２０】
外壁材(５)は、例えば軽量コンクリート等の無機質材からなる一対の平板状のサイディング材(７)(７)を接着することで、略Ｌ形に形成されている。具体的には、サイディング材(７)(７)の縦方向に沿った端部のカット面同士を互いに接着している。
【００２１】
縦フレーム材(６)は、略Ｌ形に形成されており、外壁材(５)の裏面に固定された固定片(10)と、この固定片(10)の一端部を略直角に折り曲げてなる連結片(11)と、この連結片(11)の一端部を固定片(10)に対向するように略直角に折り曲げてなる先端片(12)とを備えている。なお、連結片(11)には、横綴り用の連結ボルトを挿入するためのボルト挿入孔(13)が要所要所に形成されている。
【００２２】
部材本体(３)は、図２に示すように、上記の縦フレーム材(６)(６)の上端部に夫々係合する一対の係合部(20)(20)と、それら係合部(20)(20)を連結するとともに、外壁材(５)の上端部裏面に沿う略Ｌ形に形成された不燃材取付部(21)とを備えている。
【００２３】
係合部(20)は、図３に示すように、縦フレーム材(６)における連結片(11)及び先端片(12)の内面側に当接する基片(22)と、この基片(22)から下向きに延出して連結片(11)及び先端片(12)の外面側に当接する弾性片(23)(24)とを備えている。そして、これら基片(22)と弾性片(23)(24)との間に連結片(11)及び先端片(12)を差し入れるようにして、係合部(20)を縦フレーム材(６)の上端部に上方から被せるだけで、係合部(20)が縦フレーム材(６)に係合するようになっている。従って、横目地処理用部材(１)は、縦フレーム材(６)(６)の上端部に跨るようにして、外壁コーナーパネル(２)の上部にワンタッチで簡単に装着することができるようになっている。なお、基片(22)の上端部には、補強用のリブ片(25)が設けられている。
【００２４】
不燃材取付部(21)は、上方が開放した溝状に形成されている。そして、この不燃材取付部(21)の溝部分(26)に、例えば角柱状に形成したロックウール等の不燃材(４)をＬ形に連続させた状態で嵌め込むようになっている。
【００２５】
このようにして構成されている出隅用の横目地処理用部材(１)を、外壁コーナーパネル(２)の上部に装着するだけで、図４及び図５に示すように、上下方向に隣接する外壁コーナーパネル(２)(２)間の横目地(30)の裏側には、その横目地(30)を覆うようにして不燃材(４)が配置されることになり、横目地(30)の防火処理を簡単かつ良好に行うことができる。
【００２６】
また、横目地(30)には、防水処理としてシーリング用バックアップ材(31)及びシーリング材(32)が充填されるが、このとき、横目地処理用部材(１)に取り付けてある不燃材(４)がシーリング用バックアップ材(31)の受材となる。従って、シーリング用バックアップ材(31)を、不燃材(４)に当接するまで押し込んで、横目地(30)の奥まで十分に突っ込むことができ、薄い外壁材(５)を使用していても、シーリング材(32)のシーリング代を十分に確保することができる。
【００２７】
なお、図４において、(40)は、出隅用の外壁コーナーパネル(２)に隣接する平面用の外壁パネル、(41)は、外壁パネル(40)の外壁材、(42)は、外壁パネル(40)の縦フレーム材、(43)は、出隅用の外壁コーナーパネル(２)と平面用の外壁パネル(40)との間の縦目地、(44)は、外壁コーナーパネル(２)の縦フレーム材(６)と外壁パネル(40)の縦フレーム材(42)との間に介装されて、縦目地(43)の裏側を覆う不燃材、(45)は、縦目地(43)に充填されたシーリング用バックアップ材、(46)は、縦目地(43)に充填されたシーリング材である。
【００２８】
(第２実施形態)
図６は、この発明の第２実施形態に係る入隅用の横目地処理用部材を示している。この入隅用の横目地処理用部材(51)は、入隅用の外壁コーナーパネル(52)の上部に装着する部材本体(53)と、この部材本体(53)に予め工場等において取り付けられる不燃材(54)を備えている。
【００２９】
外壁コーナーパネル(52)は、入隅用の略Ｌ形の薄型外壁材(55)と、その外壁材(55)の裏面に取り付けた金属製の縦フレーム材(56)とを備えている。
【００３０】
外壁材(55)は、例えば軽量コンクリート等の無機質材からなる一対の平板状のサイディング材(57)(57)を、その縦方向に沿った端部間に隙間(58)をあけるようにして略Ｌ形に配置してなる。
【００３１】
縦フレーム材(56)は、略Ｗ形に形成されており、外壁材(55)における両サイディング材(57)(57)の裏面に跨って固定された略Ｌ形の固定片(60)と、この固定片(60)の両端部を夫々略直角に折り曲げてなる連結片(61)(61)と、これら連結片(61)(61)の一端部を固定片(60)に対向するように夫々略直角に折り曲げてなる先端片(62)(62)とを備えている。なお、連結片(61)(61)には、横綴り用の連結ボルトを挿入するためのボルト挿入孔(63)が要所要所に形成されている。
【００３２】
部材本体(53)は、図７に示すように、縦フレーム材(56)の裏面に沿うように全体的に略Ｗ形に形成されており、上記の縦フレーム材(56)の上端部に係合する一対の係合部(70)(70)と、それら係合部(70)(70)を連結するとともに、外壁材(55)の上端部裏面に沿う略Ｌ形に形成された不燃材取付部(71)とを備えている。
【００３３】
係合部(70)は、図８に示すように、縦フレーム材(56)における連結片(61)及び先端片(62)の内面側に当接する基片(72)と、この基片(72)から下向きに延出して連結片(61)及び先端片(62)の外面側に当接する弾性片(73)(74)とを備えている。そして、これら基片(72)と弾性片(73)(74)との間に連結片(61)及び先端片(62)を差し入れるようにして、係合部(70)を縦フレーム材(56)の上端部に上方から被せるだけで、係合部(70)が縦フレーム材(56)に係合するようになっている。従って、横目地処理用部材(51)は、外壁コーナーパネル(52)の上部にワンタッチで簡単に装着することができるようになっている。なお、基片(72)の上端部には、補強用のリブ片(75)が設けられている。
【００３４】
不燃材取付部(71)は、上方が開放した溝状に形成されている。そして、この不燃材取付部(71)の溝部分(76)に、例えば角柱状に形成したロックウール等の不燃材(54)をＬ形に連続させた状態で嵌め込むようになっている。
【００３５】
このようにして構成されている入隅用の横目地処理用部材(51)を、外壁コーナーパネル(52)の上部に装着するだけで、図９及び図１０に示すように、上下方向に隣接する外壁コーナーパネル(52)(52)間の横目地(80)の裏側には、その横目地(80)を覆うようにして不燃材(54)が配置されることになり、横目地(80)の防火処理を簡単かつ良好に行うことができる。
【００３６】
また、横目地(80)には、防水処理としてシーリング用バックアップ材(81)及びシーリング材(82)が充填されるが、このとき、横目地処理用部材(51)に取り付けてある不燃材(54)がシーリング用バックアップ材(81)の受材となる。従って、シーリング用バックアップ材(81)を、不燃材(54)に当接するまで押し込んで、横目地(80)の奥まで十分に突っ込むことができ、薄い外壁材(55)を使用していても、シーリング材(82)のシーリング代を十分に確保することができる。
【００３７】
なお、図９において、(90)は、入隅用の外壁コーナーパネル(52)に隣接する平面用の外壁パネル、(91)は、外壁パネル(90)の外壁材、(92)は、外壁パネル(90)の縦フレーム材、(93)は、入隅用の外壁コーナーパネル(52)と平面用の外壁パネル(90)との間の縦目地、(94)は、外壁コーナーパネル(52)の縦フレーム材(56)と外壁パネル(90)の縦フレーム材(92)との間に介装されて、縦目地(93)の裏側を覆う不燃材、(95)は、縦目地(93)に充填されたシーリング用バックアップ材、(96)は、縦目地(93)に充填されたシーリング材である。
【００３８】
この発明は、上記実施形態に限定されるものではなく、この発明の範囲内で上記実施形態に多くの修正及び変更を加え得ることは勿論である。例えば、横目地処理用部材は、外壁コーナーパネルの上部に装着するものだけに限らず、外壁コーナーパネルの下部に装着するもであっても良い。
【図面の簡単な説明】
【００３９】
【図１】この発明の第１実施形態に係る横目地処理用部材の斜視図である。
【図２】同じくその部材本体の斜視図である。
【図３】横目地処理用部材の外壁コーナーパネルへの装着状態を示す斜視図である。
【図４】外壁コーナー部の横目地部分を上方から見た図である。
【図５】外壁コーナー部の横目地部分を側方から見た図である。
【図６】この発明の第２実施形態に係る横目地処理用部材の斜視図である。
【図７】同じくその部材本体の斜視図である。
【図８】横目地処理用部材の外壁コーナーパネルへの装着状態を示す斜視図である。
【図９】外壁コーナー部の横目地部分を上方から見た図である。
【図１０】外壁コーナー部の横目地部分を側方から見た図である。
【符号の説明】
【００４０】
(１)  出隅用の横目地処理用部材
(２)  出隅用の外壁コーナーパネル
(３)(53)  部材本体
(４)(54)  不燃材
(５)(55)  外壁材
(６)(56)  縦フレーム材
(20)(70)  係合部
(21)(71)  不燃材取付部
(22)(72)  基片
(23)(24)(73)(74)  弾性片
(30)(80)  横目地
(31)(81)  シーリング用バックアップ材
(51)  入隅用の横目地処理用部材
(52)  入隅用の外壁コーナーパネル  
【図１】
2005213829.tif 000003
【図２】
2005213829.tif 000004
【図３】
2005213829.tif 000005
【図４】
2005213829.tif 000006
【図５】
2005213829.tif 000007
【図６】
2005213829.tif 000008
【図７】
2005213829.tif 000009
【図８】
2005213829.tif 000010
【図９】
2005213829.tif 000011
【図１０】
2005213829.tif 000012